(57)【要約】【目的】  身体を特定姿勢に保持するために、それ自体の形状が曲げられた状態で固定されるような機構を有するとともに、別途のクッション材が無くとも、身体の荷重が特定の部位に集中しないようにした姿勢保持補助具を提供する。【構成】  姿勢保持補助具１は、多数の粒状体を充填した通気性内袋と、この内袋を内部に密閉した非通気性外袋とを機構本体３として有し、外袋内の減圧により各粒状体が密着することで形状が固定される姿勢保持補助具であって、内袋は、粒状体充填室を縦及び／又は横に平面的に複数連ねた構造を有し、機構本体の少なくとも一表面に軟質の合成樹脂発泡体６が貼着されており、合成樹脂発泡体の外面には縦及び／又は横に延びる複数の凹部６１が形成されていることを特徴とする。【選択図】  図１
2006288451.tif 000002
【特許請求の範囲】
【請求項１】
多数の粒状体を充填した通気性内袋と、この内袋を内部に密閉した非通気性外袋とを機構本体として有し、外袋内の減圧により各粒状体を密着状態にすることで形状が固定される姿勢保持補助具であって、
内袋は、粒状体充填室を縦及び／又は横に平面的に複数連ねた構造を有し、
機構本体の少なくとも一表面に軟質の合成樹脂発泡体が貼着されており、合成樹脂発泡体の外面には縦及び／又は横に延びる複数の凹部が形成されていることを特徴とする姿勢保持補助具。
【請求項２】
合成樹脂発泡体が、低反発弾性ポリウレタンフォームであることを特徴とする請求項１記載の姿勢保持補助具。
【請求項３】
非透水性カバーで被覆されていることを特徴とする請求項１又は２に記載の姿勢保持補助具。
【発明の詳細な説明】
【技術分野】
【０００１】
本発明は、身体を特定姿勢に保持するために、それ自体の形状が曲げられた状態で固定されるような機構を有し、患者等が痛みを感ぜずに同じ姿勢を長く保てるようにするための姿勢保持補助具に関する。
【背景技術】
【０００２】
病院等で患者に各種の処置を施すために、多数の粒状体を密封した通気性内袋と、この内袋内部に密閉した非通気性の外袋とで構成して、外袋内を減圧することで形状が固定される機構を有する姿勢保持補助具を用いて、患者を特定姿勢に固定することが行われている。
このような、姿勢保持補助具を用いれば、患者は筋力をほとんど使用することなく同じ姿勢を保てるので、患者や医者にとって有用なものである。
【特許文献１】特開平２−２６４６３９号公報
【発明の開示】
【発明が解決しようとする課題】
【０００３】
しかしながら、このような姿勢保持補助具は、姿勢を固定させるには有用であるが、姿勢によっては身体荷重が一点集中することがあり、身体荷重を分散させるには別途クッション材をあてがう必要がある。また、単にクッション材を外袋に貼着したのでは、姿勢保持補助具を曲げたときに、外袋と合成樹脂発泡体との界面で大きなズレ応力が発生し、長期の使用では合成樹脂発泡体が外袋から剥がれてしまうことが危惧される。
本発明は、身体を特定姿勢に保持するために、それ自体の形状が曲げられた状態で固定されるような機構を有するとともに、別途のクッション材が無くとも、身体の荷重が特定の部位に集中しないようにした姿勢保持補助具を提供することを目的とする。
【課題を解決するための手段】
【０００４】
本発明の姿勢保持補助具は、多数の粒状体を充填した通気性内袋と、この内袋を内部に密閉した非通気性外袋とを機構本体として有し、外袋内の減圧により各粒状体を密着状態にすることで形状が固定される姿勢保持補助具であって、内袋は、粒状体充填室を縦及び／又は横に平面的に複数連ねた構造を有し、機構本体の少なくとも一表面に軟質の合成樹脂発泡体が貼着されており、合成樹脂発泡体の外面には縦及び／又は横に延びる複数の凹部が形成されていることを特徴とする。
合成樹脂発泡体は、低反発弾性ポリウレタンフォームであることが好ましい。
姿勢保持補助具は非透水性カバーで被覆されていることが好ましい。
【発明の効果】
【０００５】
本発明の姿勢保持補助具は、軟質の合成樹脂発泡体を機構本体の一表面に配しているので身体に対する体圧分散性が良好であることは勿論、合成樹脂発泡体に形成された凹部のおかげで曲げられた合成樹脂発泡体の反発力が低減されるので、合成樹脂発泡体が機構本体より剥がれるといった問題が発生しづらいとともに、姿勢保持補助具を曲げた状態へ移行させるのが容易である。
【０００６】
合成樹脂発泡体として低反発弾性ポリウレタンフォームを用いれば、曲げる段階では機構本体と合成樹脂発泡体との界面で大きなズレ応力が発生しても、低反発弾性であるがために復元力が小さいので、すぐにズレ応力は小さくなり、合成樹脂発泡体が機構本体より剥がれるといった問題が発生しづらいとともに、姿勢保持補助具を曲げた状態へ移行させるのも容易である。そして、低反発弾性ポリウレタンフォームを用いれば、身体に対する体圧分散性も良好である。
【０００７】
姿勢保持補助具が非透水性カバーで被覆されたものである場合には、汗などに起因した合成樹脂発泡体と機構本体との接着力の低下を未然に防止できる。
【発明を実施するための最良の形態】
【０００８】
本発明の姿勢保持補助具の実施形態を以下図面に基づいて具体的に説明する。図１及び図２に示すように、本発明の姿勢保持補助具１、２は、機構本体３の表面に軟質の合成樹脂発泡体６が貼着され、これらをカバー７で被覆した構造である。なお合成樹脂発泡体は機構本体の両面に貼着されても良い。この姿勢保持補助具１、２は、例えば図３に示すように身体形状に対応するように曲げられたのち外袋内（機構本体内）が減圧されることで、曲げられたままの形状で固定され、身体を同じ姿勢に保たせる補助具として利用されるものである。
【０００９】
機構本体３は、粒状体充填室を縦及び／又は横に平面的に複数連ねた構造を有する通気性の内袋４と、この内袋を内部に密閉した非通気性の外袋５と、粒状体充填室に充填された粒状体とを基本的な構成としている。また、外袋には開閉弁９が取り付けられており、開閉弁を通して外袋内の空気をポンプで排出することで減圧される構造である。そして、本発明の姿勢保持補助具は、自然状態では内袋内の粒状体が流動するので身体形状に対応した形状に曲げることができるが、減圧下においては各粒状体が密着して動かないので形状が固定されるというものである。
【００１０】
粒状体８は、各種プラスチックビーズが好適に用いられるが、軽量とするためにポリスチレン発泡ビーズ、ポリエチレン発泡ビーズであることが好ましい。粒状体の大きさは特に限定されるものではなく、粒径０．３〜５．０ｍｍのものを使用すれば問題はない。ビーズの比重は、繰り返し使用で変形しないように０．０２以上であることが好ましい。
【００１１】
内袋４は、粒状体の分布の偏りに起因した厚さ（高さ）ばらつきが発生しないように、符号４１や４２で示す粒状体充填室を縦及び／又は横に平面的に複数連ねた構造を有している。内袋は、粒状体充填室に粒状体が充填されて、図６に示すように複数の筒状の粒状体充填室が横に連ねられたような構造、あるいは図５に示すように複数の筒状の粒状体充填室が縦及び横に連ねられたような構造となる。内袋の材料は、繊維系材料が好適に用いられ、編布、織布、不織布などの布帛が利用される。その中で、ポリウレタン系弾性繊維を用いた布帛が伸縮性に優れていて好ましい。
粒状体充填室は、重ね合わせられた２枚の布帛を縫着によって仕切ることで形成されることが好ましく、このようにすれば、隣り合う粒状体充填室間の角度が容易に変えられるので、姿勢保持補助具としたときに曲げやすくなる。
【００１２】
粒状体充填室に粒状体が充填されているときの、自然状態（減圧、荷重などの負荷がかかっていない状態）における粒状体充填室の高さＨは、４０〜８０ｍｍであることが好ましい。高さが４０ｍｍ未満であると身体荷重によって姿勢保持補助具自体の形状が維持できないことがあり、８０ｍｍを超えると姿勢保持補助具自体を曲げた状態へ移行させづらいことがある。また同自然状態での粒状体充填室の連なり方向の縦又は横の短い方の長さＬは、１５０〜３００ｍｍであることが好ましい。この長さが１５０ｍｍ未満であると減圧時に曲がった形状を作り難く、３００ｍｍを超えると粒状体の分布に偏りが発生しやすくなる。
【００１３】
外袋５は、内袋の材料よりも伸びづらい材料で作製することが好ましく、カレンダー法、押出法などで成形されるポリ塩化ビリニデン、ポリエチレン、ポリプロピレン、ポリエステル、ポリアミド、ポリウレタンなどの柔軟性のあるフィルムが利用される。外袋は、例えばこれらのフィルムを２枚重ね合わせて周縁を融着することで作製される。外袋には、開閉弁９が直接あるいはチューブなどを介して取り付けられている。外袋内は開閉弁を通して空気が排出されて減圧状態となり、開閉弁を閉じることで減圧状態が維持される。
【００１４】
カバー７は、織布、編布などの通気性材料で作製しても良いが、多くの患者が利用することになるので非透水性カバーで作製することが好ましい。また、非透水性カバーを用いれば、汗などに起因した合成樹脂発泡体と機構本体との接着力の低下を未然に防止できる。
非透水性カバーは、繊維系材料を基材として樹脂系あるいはゴム系の薄膜を表層として積層した材料で作製すれば感触、耐久性に優れるので好ましい。このような材料としては、塩ビ系レザー、ゴム引き布、ポリウレタン系合成皮革などが挙げられるが、その中でも、基材として編布、捲縮加工糸又は捲縮繊維で形成した布帛を用い、薄膜としてポリウレタンを用いたポリウレタン合成皮革が伸縮性に富むので好ましい。
【００１５】
軟質の合成樹脂発泡体６は、ポリウレタンフォーム、ポリエチレンフォームなどが挙げられるが、ポリウレタンフォームが体圧分散性に優れているので好ましく、中でも、荷重を解放させたときに、ゆっくりと復元する性質を有する低反発弾性ポリウレタンフォームが好ましい。低反発弾性ポリウレタンフォームは、一般のポリウレタンフォームよりもガラス転移点を高くして常温あるいは常温付近にくるようにしたもので、常温で柔軟であるが適度に弾性が喪失しているフォームである。そのために、低反発弾性ポリウレタンフォームは、それ自体の変形が大きくても、元の形状に戻ろうとする力は一般のポリウレタンフォームに比較してはるかに小さいため３次元的な身体形状を広い面積で均等に支えるという性質を有している。そして、低反発弾性ポリウレタンフォームはこのような性質のため、身体保持補助具を曲げたときにでも、機構本体とのズレ応力が小さい。
【００１６】
合成樹脂発泡体の外面には、縦及び／又は横に延びる複数の凹部が形成されている。凹部の形状は断面Ｖの字状（図７）、断面半円状（図８）などが挙げられる。また、凹部は、図１０に示すようなプロファイル加工によって形成される平面視千鳥格子状の凹部凸部の繰り返し（図９）で形成したものであっても良い。このようなプルファイル加工した合成樹脂発泡体であれば、身体保持補助具を曲げたときに合成樹脂発泡体にかかる負荷が凹部に集中することがないので、耐久性が高い。
【００１７】
合成樹脂発泡体の厚さＴは特に限定されるものではないが、図７、図８に示すような凹部が形成された合成樹脂発泡体の場合は、１０〜４０ｍｍとして体圧分散性を良好にすること、すなわち身体荷重が身体の一部に集中しないようにすることが好ましい。凹部の深さＤは厚さＴの２０〜６０％、凹部の巾Ｗは５〜１５ｍｍが好ましい。凹部の深さや巾があまり小さいと、身体保持補助具自体の曲げ性があまり良くならないだけでなく、身体保持補助具を曲げたときの機構本体との間のズレ応力を小さくすることができない。凹部の深さや巾があまり大きいと、身体保持補助具を曲げたときに合成樹脂発泡体にかかる負荷が凹部に集中するのでこの部位が破壊されることが危惧されるとともに、体圧分散性が損なわれることがある。
【００１８】
図９に示すようなプルファイル加工した合成樹脂発泡体の場合は、厚さＴを２０〜６０ｍｍとし、凹部の深さＤを厚さＴの４０〜７０％とし、隣接凹部間の距離は２０〜４０ｍｍとして体圧分散性を良好にすることが好ましい。
【実施例】
【００１９】
（実施例１）ポリウレタン系弾性繊維を用いた伸縮性の編布を２枚重ね合わせ、周縁の３辺を縫着し、内部を仕切るように縫着することで図６に示すような５つの粒状体充填室を有する内袋を作製した。それぞれの粒状体充填室には平均比重０．０３、平均粒径０．５ｍｍのポリスチレン発泡ビーズを充填したのち開口している１辺を縫着した。このものの自然状態での外形の寸法は、高さ６０ｍｍ×縦長さ０．８ｍ×横長さ１ｍであり、一つの粒状体充填室の連なり方向の長さは２００ｍｍである。
【００２０】
次に、ポリウレタンフィルム（３００μｍ×０．９ｍ×１．１ｍ）を２枚重ね合わせ、周縁の３辺を融着するとともに、その内の１辺に開閉弁９を取り付けた。そしてフィルムの一表面に図７に示すような断面の低反発弾性ポリウレタンフォーム（密度５０ｋｇ／ｍ３、３０ｍｍ×０．９ｍ×０．７ｍ、Ｗ＝１０ｍｍ、D＝１０ｍｍ）を貼り付けた。その後、この外袋に、発泡ビーズを充填した内袋を挿入して、開口している一辺を融着した。そして、このものに、編布を基材としたポリウレタン合成皮革で作製した非透水性カバーを被せて、図１に示すような姿勢保持補助具１を作製した。
【００２１】
（実施例２）図９に示すような断面をもつ平面視千鳥格子状の凹部凸部の繰り返しによる凹部を有する低反発弾性ポリウレタンフォーム（３０ｍｍ×０．９ｍ×０．７ｍ、Ｔ＝４０mm、D＝２５ｍｍ、隣接凹部間の距離は２０ｍｍ）を用いる以外は実施例１と同様にして、図２に示すような姿勢保持補助具２を作製した。
【００２２】
図３に示すように、実施例１、実施例２で作製した姿勢保持補助具を、曲げた状態で固定して身体保持に使用したところ、身体荷重は分散されて心地よいものであった。また、繰り返し使用においても外袋のフィルムから低反発弾性ポリウレタンフォームが剥がれることもなかった。
【図面の簡単な説明】
【００２３】
【図１】本発明に係る姿勢保持補助具を一部切り欠いて示した斜視説明図。
【図２】本発明に係る姿勢保持補助具を一部切り欠いて示した斜視説明図。
【図３】本発明に係る姿勢保持補助具の使用状態の説明図
【図４】本発明に係る機構本体を一部切り欠いて示した斜視説明図。
【図５】本発明に係る内袋を、内部に多数の粒状体を充填した状態で一部切り欠いて示した斜視説明図。
【図６】本発明に係る内袋を、内部に多数の粒状体を充填した状態で一部切り欠いて示した斜視説明図。
【図７】本発明に使用する合成樹脂発泡体を、断面で示した説明図。
【図８】本発明に使用する合成樹脂発泡体を、断面で示した説明図。
【図９】本発明に使用する合成樹脂発泡体を、断面で示した説明図。
【図１０】ポリウレタンフォームのプロファイル加工の説明図。
【符号の説明】
【００２４】
１    本発明の姿勢保持補助具
２    本発明に係る姿勢保持補助具
３    機構本体
４    内袋
５    外袋
６    軟質の合成樹脂発泡体（低反発弾性ポリウレタンフォーム）
７    カバー
８    粒状体
９    開閉弁
４１  粒状体充填室
４２  粒状体充填室
６１  凹部
Ｈ    粒状体の充填状態での粒状体充填室の高さ
Ｌ    粒状体の充填状態での粒状体充填室の連なり方向の長さ
Ｌ１  粒状体の充填状態での内袋の縦長さ
Ｌ２  粒状体の充填状態での内袋の横長さ
Ｔ    合成樹脂発泡体の厚さ
Ｄ    合成樹脂発泡体の凹部の深さ
Ｗ    合成樹脂発泡体の凹部の巾
【図１】
2006288451.tif 000003
【図２】
2006288451.tif 000004
【図３】
2006288451.tif 000005
【図４】
2006288451.tif 000006
【図５】
2006288451.tif 000007
【図６】
2006288451.tif 000008
【図７】
2006288451.tif 000009
【図８】
2006288451.tif 000010
【図９】
2006288451.tif 000011
【図１０】
2006288451.tif 000012